(57)【要約】【課題】常時は邪魔になることがなく、非常時には速やかにかぶることができる防災頭巾を提供する。【解決手段】防災頭巾１を、長方形の頭巾本体１０と、頭巾本体を長手方向に略等分する折り畳み線１５の近傍で、且つ、頭巾本体の一対の長辺１１，１２の内の一方側に設けられており、頭巾本体における折り畳み線の両側部分を離脱可能に結合する結合部２１と、結合部よりは折り畳み線から離れた位置で頭巾本体に設けられており、頭巾本体の一対の長辺側の双方で、頭巾本体における折り畳み線の両側部分を離脱可能に結合する第二結合部２２とを具備しており、結合部及び第二結合部が、何れも頭巾本体における折り畳み線の両側部分を結合していない状態では、頭巾本体は重畳する部分なく展開される構成とする。【選択図】図２
0003187182.tif 000002
【実用新案登録請求の範囲】
【請求項１】
長方形の頭巾本体と、
該頭巾本体を長手方向に略等分する折り畳み線の近傍で、且つ、前記頭巾本体の一対の長辺の内の一方側に設けられており、前記頭巾本体における前記折り畳み線の両側部分を離脱可能に結合する結合部と、
該結合部よりは折り畳み線から離れた位置で前記頭巾本体に設けられており、前記頭巾本体の一対の長辺側の双方で、前記頭巾本体における前記折り畳み線の両側部分を離脱可能に結合する第二結合部とを具備しており、
前記結合部及び前記第二結合部が、何れも前記頭巾本体における前記折り畳み線の両側部分を結合していない状態では、前記頭巾本体は重畳する部分なく展開される
ことを特徴とする防災頭巾。
【請求項２】
前記第二結合部は、一本の紐状部材、及び、前記折り畳み線の両側でそれぞれ頭巾本体を幅方向に貫通している長筒状の挿通部の一対を有しており、
前記紐状部材は、一対の前記長辺の内、前記結合部が設けられている方とは異なる長辺側から、一対の前記挿通部の一方を挿通した上で、一対の前記長辺の他方側から、一対の前記挿通部の他方を挿通している
ことを特徴とする請求項１に記載の防災頭巾。
【請求項３】
前記頭巾本体の表裏面の内の少なくとも一方に、前記折り畳み線側に開口したポケットが形成されている
ことを特徴とする請求項１または請求項２に記載の防災頭巾。
【請求項４】
前記ポケットは、前記頭巾本体の表裏面の双方に形成されており、
表裏面の一方に形成された前記ポケットは開口にフラップを有しており、
表裏面の他方に形成された前記ポケットは開口にフラップを有していない
ことを特徴とする請求項３に記載の防災頭巾。
【考案の詳細な説明】
【技術分野】
【０００１】
本考案は、防災頭巾に関するものである。
【背景技術】
【０００２】
災害のときに頭部を保護するためにかぶる防災頭巾を、災害に備えて常に用意しておくことが推奨されており、実践している人も多い。用意された防災頭巾は、非常持ち出し袋など非常時に持ち出したい物と一緒に、玄関わきなどの収納スペースにしまわれていることが多く、その場合は、非常時に速やかにかぶることが難しい。そうとは言え、すぐに手に取ることができるように、過ごしている時間が長い居間など居住空間の中に常に置いておくと、生活の邪魔になり、見た目も悪いという問題があった。
【０００３】
一方、学校など、防災頭巾を折り畳んで袋に入れ、袋に取り付けられた紐を椅子の背にかけておくことにより、椅子に座っている人の近くに防災頭巾を備えておくようにしているところもある。しかしながら、この場合も、袋から防災頭巾を取り出し、折り畳まれている防災頭巾を広げ、頭にかぶるためには、手間と時間を少なからず要するという問題があった。
【考案の概要】
【考案が解決しようとする課題】
【０００４】
そこで、本考案は、上記の実情に鑑み、常時は邪魔になることがなく、非常時には速やかにかぶることができる防災頭巾の提供を、課題とするものである。
【課題を解決するための手段】
【０００５】
上記の課題を解決するため、本考案にかかる防災頭巾は、「長方形の頭巾本体と、該頭巾本体を長手方向に略等分する折り畳み線の近傍で、且つ、前記頭巾本体の一対の長辺の内の一方側に設けられており、前記頭巾本体における前記折り畳み線の両側部分を離脱可能に結合する結合部と、該結合部よりは折り畳み線から離れた位置で前記頭巾本体に設けられており、前記頭巾本体の一対の長辺側の双方で、前記頭巾本体における前記折り畳み線の両側部分を離脱可能に結合する第二結合部とを具備しており、前記結合部及び前記第二結合部が、何れも前記頭巾本体における前記折り畳み線の両側部分を結合していない状態では、前記頭巾本体は重畳する部分なく展開される」ものである。
【０００６】
「頭巾本体」は、単層構造であっても複層構造であっても良い。複層構造としては、二枚の布地を重畳させ、その間に綿・羊毛などのクッション材を挟み込んで刺し縫いしたキルティング構造、二枚以上の布地を重畳させた構造、を例示することができる。「折り畳み線」は、頭巾本体を長手方向にほぼ等分するように、二つ折りする場合の仮想線である。
【０００７】
「結合部」としては、凸部を有するスナップと凹部を有するスナップとが対をなすスナップボタン、雌雄の面ファスナー、環状の部材とこれに係止されるフックとの組み合わせ、対をなす紐状部材、を例示することができる。この結合部により、一対の長辺の一方側で頭巾本体の両側が結合されることにより、折り畳み線と結合部との間に角部が形成される。この角部は、防災頭巾を頭にかぶったときに後頭部を納める部分である。従って、結合部が設けられる折り畳み線の「近傍」は、例えば、折り畳み線から４ｃｍ〜２０ｃｍとすることができる。
【０００８】
「第二結合部」は、防災頭巾を頭にかぶった状態で、使用者の顎の付近で頭巾本体の両側部分を結合すると共に、首の後ろ付近で頭巾本体の両側部分を結合することにより、首周りを保護すると共に、防災頭巾が頭部から外れないよう保持させるためのものである。そのため第二結合部が設けられる「結合部よりは折り畳み線から離れた位置」は、例えば、折り畳み線から２２ｃｍ〜４０ｃｍとすることができる。また、「第二結合部」としては、後述のように一対の挿通部と、この挿通部を挿通する一本の紐状部材で構成されるもの、対をなす紐状部材、対をなすスナップボタン、雌雄の面ファスナー、等を例示することができる。
【０００９】
なお、頭巾本体の防災頭巾が大人用である場合、子供用である場合など、対象とする使用者の体格に応じて、頭巾本体のサイズ、折り畳み線から結合部までの長さ、折り畳み線から第二結合部までの長さ、を異ならせることができる。
【００１０】
上記構成の防災頭巾は、頭巾本体を折り畳み線で二つ折りにし、結合部を結合させることにより、折り畳み線と結合部との間に形成される角部に後頭部を位置させるように、頭にかぶり、頭部を保護することができる。そして、第二結合部で頭巾本体の両側部分を結合することによって、上述のように、使用者の首周りを保護すると共に、防災頭巾が頭部から外れないよう保持することができる。
【００１１】
そして、本構成の防災頭巾は、頭巾本体における折り畳み線の両側部分が、結合部によっても第二結合部によっても結合されていない状態では、二つ折りにして、椅子の背にかけておくことができる。ここで、防災頭巾が展開できない構成である場合、例えば、結合部が離脱不能に頭巾本体の両側部分を結合している場合、椅子の背にかけようとすれば、椅子の背の角部に引掛けざるを得ず、外れて落下しやすい。これに対し、本考案では、結合部によっても第二結合部によっても結合されていない状態では、頭巾本体は重畳する部分なく展開される構造であるため、椅子の背の寸法や形状を問わず、椅子の背の中央付近に、安定的にかけておくことができる。
【００１２】
従って、本構成の防災頭巾は、常時は椅子の背にかけておくことにより、インテリアの一つとして使用することができ、邪魔になることなく、普段過している時間が長い居住空間など、身近に置いておくことができる。そして、展開された状態で椅子の背にかけられている防災頭巾は、非常時にはすぐに手に取って、速やかに頭にかぶることができる。
【００１３】
本考案にかかる防災頭巾は、上記構成において、「前記第二結合部は、一本の紐状部材、及び、前記折り畳み線の両側でそれぞれ頭巾本体を幅方向に貫通している長筒状の挿通部の一対を有しており、前記紐状部材は、一対の前記長辺の内、前記結合部が設けられている方とは異なる長辺側から、一対の前記挿通部の一方を挿通した上で、一対の前記長辺の他方側から、一対の前記挿通部の他方を挿通している」ものとすることができる。
【００１４】
本構成では、防災頭巾を頭にかぶったときに、一本の紐状部材の中間部分が首の後ろ側で輪になっており、両方の端部が身体の前方に位置する状態となる。従って、紐状部材の両端を両手で前方に引くことにより、容易に紐状部材が引き絞られる。これにより、防災頭巾を首周りに密着させて首周りを保護することができる。また、紐状部材の両端を結び付ける、或いは、バックル等で留め付けることにより、防災頭巾を頭部から外れないように、しっかりと保持することができる。
【００１５】
本考案にかかる防災頭巾は、上記構成に加え、「前記頭巾本体の表裏面の内の少なくとも一方に、前記折り畳み線側に開口したポケットが形成されている」ものとすることができる。
【００１６】
頭巾本体の表裏面の内、頭にかぶったときに内側となる面にポケットが設けられている場合は、非常時に持ち出したいものを常時から収容させておくことにより、非常時に手間をかけることなく、防災頭巾と共に速やかに持ち出すことができる。一方、頭巾本体の表裏面の内、椅子の背にかけているときに外側となる面にポケットが設けられている場合は、居住空間等で使用するものを収容する小物入れとして使用することができる。そして、ポケットは、折り畳み線側で開口しているため、頭巾本体を頭にかぶっているときも、椅子の背にかけているときも、収容された物がポケットから落下しにくい。
【００１７】
本考案にかかる防災頭巾は、上記構成において、「前記ポケットは、前記頭巾本体の表裏面の双方に形成されており、表裏面の一方に形成された前記ポケットは開口にフラップを有しており、表裏面の他方に形成された前記ポケットは開口にフラップを有していない」ものとすることができる。
【００１８】
本構成の防災頭巾は、開口にフラップを有しているポケットに、非常時に持ち出したい物を収容させておくことができる。開口にフラップを有していることにより、非常時に持ち出したい重要な物品が、ポケットから落下することが有効に防止される。そして、常時は、開口にフラップを有しているポケットが設けられた面が内側となるように、頭巾本体を椅子の背にかけておくと、開口にフラップを有しないポケットが設けられている面が外側となる。これにより、常時は、椅子の背にかけた防災頭巾を、収容した物を出し入れしやすい小物入れとして、使用することができる。また、開口にフラップを有しないポケットには、ポケットの深さよりサイズが長い物品を、保持させることができるため、常時は、椅子の背にかけた防災頭巾を、種々の物品を収容できる小物入れとして使用することができる。
【考案の効果】
【００１９】
以上のように、本考案の効果として、常時は邪魔になることがなく、非常時には速やかにかぶることができる防災頭巾を、提供することができる。
【図面の簡単な説明】
【００２０】
【図１】本考案の一実施形態である防災頭巾を展開した状態の平面図である。
【図２】図１の防災頭巾を展開した状態の底面図である。
【図３】図１の防災頭巾の使用状態を使用者の背面側から示した図である。
【図４】図１の防災頭巾の使用状態を使用者の正面側から示した図である。
【図５】図１の防災頭巾を椅子の背にかけて使用している状態を示す図である。
【図６】他の実施形態の防災頭巾を二つ折りにした状態の平面図である。
【考案を実施するための形態】
【００２１】
以下、本考案の具体的な実施形態の防災頭巾１について、図１乃至図５を用いて説明する。防災頭巾１は、長方形の頭巾本体１０と、頭巾本体１０を長手方向に略等分する折り畳み線１５の近傍で、且つ、頭巾本体１０の一対の長辺１１，１２の内の一方側に設けられており、頭巾本体１０における折り畳み線１５の両側部分を離脱可能に結合する結合部２１と、結合部２１よりは折り畳み線１５から離れた位置で頭巾本体１０に設けられており、頭巾本体１０の一対の長辺１１，１２側の双方で、頭巾本体１０における折り畳み線１５の両側部分を離脱可能に結合する第二結合部２２とを具備している。また、上記構成において、第二結合部２２は、一本の紐状部材２２ｂ、及び、折り畳み線１５の両側でそれぞれ頭巾本体１０を幅方向に貫通している長筒状の挿通部２２ａの一対を有しているものである。
【００２２】
更に、防災頭巾１は、頭巾本体１０の表裏面の内の双方に、折り畳み線１５側に開口したポケット３１，３２を有しており、表裏面の一方に形成されたポケット３２は開口にフラップ３２ｆを有しており、表裏面の他方に形成されたポケット３１は開口にフラップを有していないものである。
【００２３】
より詳細に説明すると、頭巾本体１０は長辺４５ｃｍ〜５５ｃｍ、短辺３０ｃｍ〜３５ｃｍの長方形であり、二枚の布を重畳させて形成されている。ここで、頭にかぶったときに外側となる面（以下、「外側面１０ａ」と称する）には、一定基準以上の防炎性能を有する防炎製品として認定された生地が使用されており、頭にかぶったときに内側となる面（以下、「内側面１０ｂ」と称する）には木綿生地を二枚重ねて刺し縫いすることにより一枚の布としたキルティング生地が使用されている。また、折り畳み線１５を中心とし、短辺までの長さの約１／２の長さ付近まで、二枚の布の間には綿が配されており、頭部を保護するクッション性が高められている。
【００２４】
本実施形態の結合部２１は、凸部を有するスナップ２１ａと凹部を有するスナップ２１ｂとが対をなすスナップボタンである。それぞれのスナップ２１ａ，１２ｂは、頭巾本体１０の一対の長辺１１，１２の内の一方の長辺１１側で、折り畳み線１５の両側において、それぞれ折り畳み線１５からほぼ等しい距離に取り付けられている。本実施形態では、スナップ２１ａ，１２ｂは、それぞれ折り畳み線１５から約１０ｃｍの位置に取り付けられている。
【００２５】
挿通部２２ａは、頭巾本体１０の内側面１０ｂにおいて、折り畳み線１５の両外側で、それぞれ折り畳み線１５から約３０ｃｍの位置で、細長い布地を両長辺に沿って頭巾本体１０に縫着することにより形成されたものであり、頭巾本体１０の表面と細長い布地とで長筒状を形成している。紐状部材２２ｂは平帯状で、頭巾本体１０の一対の長辺１１，１２の内、結合部２１が設けられている長辺１１とは異なる長辺１２側から、一対の挿通部２２ａの一方を挿通した上で、他方の長辺１１側から、他方の挿通部２２ａを挿通している。これにより、長辺１１側では紐状部材２２ｂは輪になっており、長辺１２側では、折り畳み線１５の両側で、それぞれ紐状部材２２ｂの端部が外方に向けて延び出している。紐状部材２２ｂの両端部の一方には、バックル２９が取り付けられている。
【００２６】
そして、スナップ２１ａ，１２ｂが係合しておらず、紐状部材２２ｂが引き絞られて両端が留め付けられていない状態、すなわち、頭巾本体１０における折り畳み線１５の両側部分が結合されていない状態では、図１及び図２に示すように、頭巾本体１０は重畳することなく展開される。
【００２７】
頭巾本体１０の外側面１０ａでは、折り畳み線１５の片側でポケット３１が形成されている。本実施形態では、大型のポケット３１が二つ並んだ段と、小型のポケット３１が三つ並んだ段との二段で、計５つのポケット３１が形成されている。何れのポケット３１も、折り畳み線１５側で開口している。これらのポケット３１は、開口にフラップは有していない。
【００２８】
一方、頭巾本体１０の内側面１０ｂでは、折り畳み線１５の両側で、端辺に沿ってポケット３２が形成されている。本実施形態では、両端辺のそれぞれに沿って、大型のポケット３２が二つ並んで形成されている。これらのポケット３２は、何れも折り畳み線１５側で開口しており、且つ、開口にフラップ３２ｆを有している。
【００２９】
次に、上記構成の防災頭巾１の使用方法について説明する。常時は、頭巾本体１０を展開させた状態で二つ折りにし、図５に示すように、椅子の背９０にかけておく。このとき、内側面１０ｂを椅子の背９０に当接させ、外側面１０ａにおいてポケットが設けられている面が、椅子の後ろ側を向くようにする。ポケット３１に物９９を収容させることにより、防災頭巾１を、インテリアを兼ねた小物入れとして、常時、身近に置いておくことができる。例えば、これらのポケットには、リモコン、メガネケース、メモ帳、筆記具などを収容させることができる。外側面１０ａのポケット３１はフラップを有していないため、収容させる物９９を出し入れし易い。また、フラップを有していないポケット３１には、ポケットの深さよりも長い物を収容させることができる。
【００３０】
防災頭巾１を椅子の背９０にかけるに際しては、予め、内側面１０ｂに形成されているポケット３２に、非常時に持ち出したい物、例えば、薬、常用している薬の処方線や薬の種類が記録された手帳（いわゆる「お薬手帳」）、保険証のコピー等を収容させておくことができる。
【００３１】
なお、防災頭巾１を椅子の背９０にかけた状態で、図５に例示するように、紐状部材２２ｂの両端部を留め付けることにより、防災頭巾１を椅子の背９０に固定することができる。
【００３２】
非常時には、防災頭巾１を椅子の背９０から取り外し、外側面１０ａのポケット３１に収容されている物９９を取り出す。防災頭巾１は展開された状態で椅子の背９０にかけられているため、椅子の背９０から取り外し易い。また、外側面１０ａのポケット３１の開口にはフラップがないため、収容されている物９９を取り出し易い。
【００３３】
そして、図３に示すように、スナップ２１ａ，２１ｂを係合させる。これにより、頭巾本体１０が折り畳み線１５の両側で結合され、折り畳み線１５との間に角部が形成されるため、ここに後頭部が納まるように頭にかぶる。そうすると、紐状部材２２ｂの両端が、首の両側で身体の前方に延び出している状態となる。そこで、紐状部材２２ｂの一端を他端のバックル２９に通し、引き締めると、紐状部材２２ｂが引き絞られる。これにより、首の後ろにおいて紐状部材２２ｂの輪の部分が殆どなくなり、頭巾本体１０の両側部分が結合される。これと同時に、顎の付近では、図４に示すように、引き締められた状態で紐状部材２２ｂの両端が留め付けられることにより、頭巾本体１０の両側部分が結合される。
【００３４】
以上のように、本実施形態の防災頭巾１は、常時は椅子の背９０にかけておくことにより、インテリアとして使用することができ、邪魔になることなく、身近に置いておくことができる。また、頭巾本体１０の外側面１０ａにポケット３１を有しているため、小物入れとしても使用することができる。
【００３５】
そして、防災頭巾１は展開された状態で椅子の背９０にかけられているため、非常時にはすぐに手に取って、速やかに頭にかぶることができる。このとき、後頭部を納めるための角部を形成するための結合部２１は、一対のスナップ２１ａ，２１ｂであるため、頭巾本体１０の両側を速やかに結合することができる。また、首の後ろ及び顎付近の双方で、頭巾本体１０を結合させるための第二結合部２２は、一対の挿通部２２ａとこれらに挿通された一本の紐状部材２２ｂで構成されているため、紐状部材２２ｂを容易に引き絞ることができ、速やかに防災頭巾１を首周りに密着させると共に、頭部から外れないように保持させることができる。
【００３６】
また、頭巾本体１０の内側面１０ｂにポケット３２を有しているため、非常時に持ち出したい物を常時から収容させておくことにより、非常時に手間をかけることなく防災頭巾１と共に、速やかに持ち出すことができる。このポケット３２にはフラップ３２ｆが設けられているため、非常時に持ち出したい重要な物品が、ポケット３２から落下することが有効に防止されている。
【００３７】
更に、防災頭巾１を頭にかぶったときに外側となる外側面１０ａは、防炎生地で形成されているため、火災を伴う非常時に、より効果的に頭部を保護することができる。
【００３８】
以上、本考案について好適な実施形態を挙げて説明したが、本考案は上記の実施形態に限定されるものではなく、以下に示すように、本考案の要旨を逸脱しない範囲において、種々の改良及び設計の変更が可能である。
【００３９】
例えば、上記の実施形態では、結合部２１として一対のスナップ２１ａ，２１ｂを使用する場合を例示したが、これに限定されず、図６に例示するように、一対の紐状部材４１で結合部を構成させることができる。
【００４０】
また、上記では、第二結合部２２として一対の挿通部２２ａと、これに挿通された一本の紐状部材２２ｂで構成される場合を例示したが、これに限定されず、図６に例示するように、一対の長辺１１，１２側の双方に、それぞれ一対ずつ取り付けられている紐状部材４２で、第二結合部を構成させることができる。
【符号の説明】
【００４１】
１  防災頭巾
１０  頭巾本体
１５  折り畳み線
２１  結合部
２２  第二結合部
２２ａ  挿通部（第二結合部）
２２ｂ  紐状部材（第二結合部）
３１  ポケット（フラップを有しないポケット）
３２  ポケット（フラップを有するポケット）
３２ｆ  フラップ
４１  紐状部材（結合部）
４２  紐状部材（第二結合部）
【図１】
0003187182.tif 000003
【図２】
0003187182.tif 000004
【図３】
0003187182.tif 000005
【図４】
0003187182.tif 000006
【図５】
0003187182.tif 000007
【図６】
0003187182.tif 000008